(57)【要約】【課題】  不審者を目撃した者が不審者の画像を直接に撮影することなく信憑性の高い目撃情報を警察機関等の情報端末に送信し、必要な対策を迅速に実施可能に支援すること。【解決手段】  不審者の目撃情報を受信した携帯端末の発信位置を特定する第１の手段と、特定した発信位置近傍に設置された監視カメラを、監視カメラの設置位置を記憶した第２のデータベースから検索して特定し、その特定した監視カメラに撮影指示を行う第２の手段と、撮影指示を受けた監視カメラにより撮影した画像を受信し、前記目撃情報と関連付けて前記第１のデータベースに記憶する第３の手段と、記憶した目撃情報と画像とを警察機関等の関係機関に設置された情報端末に対して送信する第４の手段とを備える。【選択図】  図１
2007328490.tif 000002
【特許請求の範囲】
【請求項１】
携帯端末から不審者の目撃情報を受信し、その目撃情報と複数の監視対象地域に設置された複数の監視カメラによって撮影された画像とを関連付けて第１のデータベースに記憶した後、警察機関等の関係機関に設置された情報端末に対し、目撃情報と撮影画像とを送信する不審者通知システムであって、
不審者の目撃情報を受信した携帯端末の発信位置を特定する第１の手段と、特定した発信位置近傍に設置された監視カメラを、監視カメラの設置位置を記憶した第２のデータベースから検索して特定し、その特定した監視カメラに撮影指示を行う第２の手段と、撮影指示を受けた監視カメラにより撮影した画像を受信し、前記目撃情報と関連付けて前記第１のデータベースに記憶する第３の手段と、記憶した目撃情報と画像とを警察機関等の関係機関に設置された情報端末に対して送信する第４の手段とを備えることを特徴とする不審者通知システム。
【請求項２】
携帯端末から不審者の目撃情報を受信し、その目撃情報と複数の監視対象地域に設置された複数の監視カメラによって撮影された画像とを関連付けて第１のデータベースに記憶した後、警察機関等の関係機関に設置された情報端末に対し、目撃情報と撮影画像とを送信する不審者通知システムであって、
不審者の目撃情報を受信した携帯端末の発信位置を特定する第１の手段と、特定した発信位置近傍に設置された監視カメラを、監視カメラの設置位置を記憶した第２のデータベースから検索して特定し、その特定した監視カメラが撮影している画像を受信し、前記目撃情報と関連付けて前記第１のデータベースに記憶する第３の手段と、記憶した目撃情報と画像とを警察機関等の関係機関に設置された情報端末に対して送信する第４の手段とを備えることを特徴とする不審者通知システム。
【請求項３】
前記第１の手段は、携帯端末に内蔵されたＧＰＳ機能が検出した現在位置情報を携帯端末から受信することにより、不審者の目撃情報を受信した携帯端末の発信位置を特定するものであることを特徴とする請求項１または２に記載の不審者通知システム。
【発明の詳細な説明】
【技術分野】
【０００１】
本発明は、携帯電話機等の携帯端末から発信された不審者目撃情報を受信し、発信元の携帯端末の発信位置を特定し、その特定した位置の近傍に配置された監視カメラで撮影した監視画像とを関連付けて記憶した後、不審者目撃情報の発信位置近傍を管轄する警察機関等の情報端末に対して監視画像と不審者目撃情報を送信し、必要な対策を迅速に実施可能に支援する不審者通知システムに関するものである。
【背景技術】
【０００２】
一般の人、利用客が数多く交錯し利用される場所、また広範囲にわたり不特定の人が出入りする場所では、これまでカメラによる監視、また係員の巡廻監視が行われている。
また、近年においてカメラ付携帯電話機の普及によりカメラ付携帯電話機から映像撮影する方法は携帯通信情報網を通して一般社会のあらゆるところで数多く実用化されている。ＧＰＳ機能を内蔵した携帯電話機により、位置情報を容易に取得できる。また、監視カメラで不審者を自動検知し、携帯電話機等に通知する技術がある。
なお、本発明に関連する公知技術文献としては下記の特許文献１がある。
【特許文献１】特開２００２−３３５５２２号公報
【発明の開示】
【発明が解決しようとする課題】
【０００３】
ところで、不審者を目撃し通報しようとしても、電話連絡では目撃者情報として画像をともなった連絡が即座にできず信憑性にかけてしまう。また、カメラ付携帯電話機により撮影するためには不審者に近づかなければならず危険が伴う。このため、不審者の目撃者は連絡について億劫になり、有益な目撃情報を即座に通報することができない。
また、設置した全ての監視カメラで撮影した全ての監視画像の中から不審者らしき者を見つけ出すためには膨大な時間と人件費がかかってしまう。
【０００４】
本発明の目的は、不審者を目撃した者が不審者の画像を直接に撮影することなく信憑性の高い目撃情報を警察機関等の情報端末に送信し、必要な対策を迅速に実施可能に支援することができると共に、監視カメラで撮影した監視画像の中から不審者らしき者を見つけ出すための膨大な時間と人件費とを大幅に削減することができる不審者通知システムを提供することにある。
【課題を解決するための手段】
【０００５】
上記目的を達成するために、本発明は、携帯端末から不審者の目撃情報を受信し、その目撃情報と複数の監視対象地域に設置された複数の監視カメラによって撮影された画像とを関連付けて第１のデータベースに記憶した後、警察機関等の関係機関に設置された情報端末に対し、目撃情報と撮影画像とを送信する不審者通知システムであって、
不審者の目撃情報を受信した携帯端末の発信位置を特定する第１の手段と、特定した発信位置近傍に設置された監視カメラを、監視カメラの設置位置を記憶した第２のデータベースから検索して特定し、その特定した監視カメラに撮影指示を行う第２の手段と、撮影指示を受けた監視カメラにより撮影した画像を受信し、前記目撃情報と関連付けて前記第１のデータベースに記憶する第３の手段と、記憶した目撃情報と画像とを警察機関等の関係機関に設置された情報端末に対して送信する第４の手段とを備えることを特徴とする。
【０００６】
また、携帯端末から不審者の目撃情報を受信し、その目撃情報と複数の監視対象地域に設置された複数の監視カメラによって撮影された画像とを関連付けて第１のデータベースに記憶した後、警察機関等の関係機関に設置された情報端末に対し、目撃情報と撮影画像とを送信する不審者通知システムであって、
不審者の目撃情報を受信した携帯端末の発信位置を特定する第１の手段と、特定した発信位置近傍に設置された監視カメラを、監視カメラの設置位置を記憶した第２のデータベースから検索して特定し、その特定した監視カメラが撮影している画像を受信し、前記目撃情報と関連付けて前記第１のデータベースに記憶する第３の手段と、記憶した目撃情報と画像とを警察機関等の関係機関に設置された情報端末に対して送信する第４の手段とを備えることを特徴とする不審者通知システム。
【０００７】
また、前記第１の手段は、携帯端末に内蔵されたＧＰＳ機能が検出した現在位置情報を携帯端末から受信することにより、不審者の目撃情報を受信した携帯端末の発信位置を特定するものであることを特徴とする。
【発明の効果】
【０００８】
本発明の不審者通知システムによれば、次のような効果がある。
目撃者の携帯端末からの目撃情報を受信したのを契機として、監視対象地域に設置された監視カメラが撮影した画像とを関連付けてデータベースに記憶した後、警察機関、警備会社等の関係機関の情報端末に対し目撃情報と撮影画像を送信することにより、目撃者の安全を確保しつつ信憑性の高い目撃情報を関係機関に通知し、必要な対策を迅速に実施可能に支援することができる。
また、監視カメラにより撮影した画像と目撃情報とが情報ＩＤによって関連付けられてデータベースに記憶されているため、目撃情報を手がかりとして不審者が映っている画像を短時間で確認し、必要な対策を迅速に実施することができ、監視カメラで撮影した監視画像の中から不審者らしき者を見つけ出すための膨大な時間と人件費とを大幅に削減することができる。
【発明を実施するための最良の形態】
【０００９】
以下、本発明を適用した不審者通知システムの一実施の形態について説明する。
図１は、本発明の実施の形態の一例を示すシステム構成図である。
本実施形態の不審者通知システムは、画像情報データベース１０１、通知情報データベース１０２、及び地域情報データベース１０３を備えたホストシステム１０４と、このホストシステム１０４に対して目撃情報を送信するＧＰＳ（global positioning system）機能を内蔵した複数の携帯電話機１１３ａ，１１３ｎと、この携帯電話機１１３ａ，１１３ｎの通知と連動して視野範囲内の画像を撮影する監視カメラ管理サーバ１１１及び監視カメラ１１２ａ，１１２ｎから構成されている。
携帯電話機１１３ａ，１１３ｎは基地局１０９と接続されている。そして、基地局１０９は有線の公衆回線網によるネットワーク１０８と接続され、このネットワーク１０８にホストシステム１０４、携帯電話機１１３ａ，１１３ｎから目撃情報が送信された際に通知する警察機関等のホスト端末１１０ａ，１１０ｎ、ホストシステム１０４からの指示により撮影を実施する監視カメラ管理サーバ１１１が接続されている。
【００１０】
ホストシステム１０４の地域情報データベース１０３には、図２に例示するように、監視対象地域の位置情報に対応する地域ＩＤ２０１と、位置情報２０２と、その地域を管轄する警察機関等に設置されたホスト端末ＩＤ２０３と、その地域に設置されている監視カメラのＩＤ２０４が登録されている。
【００１１】
また、画像情報データベース１０１には、図３に例示するように、監視カメラ毎のＩＤ３０２と撮影された画像情報３０３とが情報ＩＤ３０１を付して登録可能になっている。
また、通知情報データベース１０２には、図４に例示するように、不審者の目撃情報を発信した携帯電話機の携帯電話番号４０２と、発信元の携帯電話機の位置情報４０３と、通知時刻４０４、及び携帯電話機所有者が入力した目撃情報４０５が登録されるようになっている。
【００１２】
また、ホストシステム１０４は、各データベース１０１〜１０３の更新処理を行うＤＢ更新部１０５、検索要求に対して検索処理を行う検索処理部１０６、携帯電話機や監視カメラ管理サーバ１１１と送受信を行う送受信部１０７を備えている。
【００１３】
ホスト端末１１０ａ，１１０ｎについては、携帯電話機より不審者通知があった際に通知され、不審者の目撃情報を確認する機能だけでなく、監視カメラに関する情報を登録したり、更新することができる機能を備えている。
【００１４】
不審者の目撃情報を通知する際の携帯電話機の具体的な不審者通知画面５００は、図５に例示するように、ホストシステム１０４より一意に振られる情報ＩＤ５０１、通知者の携帯電話機番号５０２、位置情報５０３、時刻５０４が自動的に画面に表示され、目撃情報５０５として具体的な内容を文字で入力すれば良いようになっている。
入力後、通知ボタン５０６を選択すると不審者通知としてホストシステム１０４に送信される。
不審者の目撃情報を受信すするホスト端末の具体的な不審者情報確認画面６００は、図６に例示するように、ＧＰＳ機能を内蔵した携帯電話機からの情報として情報ＩＤ６０１、通知者携帯電話番号６０２、位置情報６０３、時刻６０４、目撃情報６０５とともに、監視カメラで撮影された画像６０６が表示されるようになっている。次の画像ボタン６０７を選択することにより、別の監視カメラで撮影された映像を確認することも可能になっている。
【００１５】
図４はホストシステム１０４、携帯電話機１１３ａ，１１３ｎ、監視カメラ管理サーバ１１１間で送受信されるデータフレームの構成図である。
まず、不審者を目撃した目撃情報の通知者が図５の不審者通知画面５００を開いた際に、図７（ａ）に示すような位置情報７０１のデータフレームをホストシステム１０４に送信する。この位置情報７０１は、携帯電話機１１３ａに付属したＧＰＳ機能により取得したものである。
ホストシステム１０４は、図７（ｂ）に示すようなホストシステム内で一意となる情報ＩＤ７０２のフレームを発信元の携帯電話機１１３ａに送信すると共に、位置情報をキーに地域情報ＤＢ１０３を検索し、監視カメラＩＤ（図２）特定し、図７（ｃ）に示すような情報ＩＤ７０２と監視カメラＩＤ７０４のデータフレームを監視カメラ管理サーバ１１１に送信する。
監視カメラ管理サーバ１１１は、受信した監視カメラＩＤ７０３に基づき、監視カメラ１１２ａを特定し、当該監視カメラ１１２ａに対し監視画像の撮影を指示する。
【００１６】
携帯電話機１１３ａでは、図７（ｂ）のような情報ＩＤ７０２を受信後、図５で示すような不審者通知画面５００を表示し、目撃情報の入力を促し通知ボタン５０６の選択により、図７（ｄ）で示すような情報ＩＤ７０２，通知者携帯電話番号７０５，位置情報７０６，時刻７０７，目撃情報７０８をホストシステム１０４に送信する。
ホストシステム１０４は、上記情報を受信し、通知情報ＤＢ１０２に記憶させる。
また、ホストシステム１０４は、監視カメラ管理サーバ１１１より図７（ｅ）で示すような、情報ＩＤ７０２，監視カメラＩＤ７０４，画像７０９のデータフレームを受信し、画像情報ＤＢ１０１に格納する。
【００１７】
その後、ホストシステム１０４は、地域情報ＤＢ１０３にて、監視カメラＩＤ７０４キーにホスト端末ＩＤ（図２の２０３）を検索し、管轄対象の機関に設置されたホスト端末１１０ａに不審者の目撃情報が通知されたことを送信する。
ホスト端末１０４では、通知を受け、図６で例示したような不審者情報確認画面６００を表示し、係員に対応を判断させ、必要に応じて現場に駆けつけさせる。
【００１８】
図８は、携帯電話機１１３ａ，１１３ｎで実行される不審者通知処理の概要を示すフローチャートである。
不審者を目撃した携帯電話機１１３ａの所有者は、例えば携帯電話機１１３ａのメニューに設定されている不審者通知ボタンを操作し、ＧＰＳ機能で取得した位置情報をホストシステム１０４へ送信する（ステップ８０１）。
次に、ホストシステム１０４からの情報ＩＤの受信処理を行う（ステップ８０２）。
次に、図５に例示したような不審者通知画面の生成を行い（ステップ８０３）、目撃情報の入力処理を行う（ステップ８０４）。その後、ホストシステム１０４へ不審者目撃情報の送信を行う（ステップ８０５）。この処理では、図５で示す通知ボタン５０６、キャンセルボタン５０７のどのボタンが選択されたかを送信する。
【００１９】
図９は、ホストシステム１０４で実行される不審者目撃情報受理処理の概要を示すフローチャートである。
携帯電話機１１３ａからの位置情報の受信を行った後（ステップ９０１）、発信元の携帯電話機１１３ａへ情報ＩＤの送信処理を行う（ステップ９０２）。
次に、位置情報をキーとして地域情報ＤＢ１０２から監視カメラＩＤ２０３を取得し、監視カメラ管理サーバ１１１に対して当該監視カメラＩＤ２０３の監視カメラ１１２ａへの撮影要求を送信する（ステップ９０３）。
次に、発信元の携帯電話機１１３ａからの不審者目撃情報の受信処理を行い（ステップ９０４）、通知ボタン５０６が選択されたか判定を行う（ステップ９０５）。キャンセルボタン５０７が選択されていた場合は、監視カメラ管理サーバ１１１へ撮影画像の破棄要求を行う（ステップ９０９）。
【００２０】
通知ボタン５０６が選択されていた場合は、図７（ｄ）で示す目撃情報７０６を含むデータフレームを受信し、図４で示す通知情報ＤＢ１０２に受信データを格納する。
次に、監視カメラ管理サーバ１１１へ画像データの送信要求を送信した後（ステップ９０６）、監視カメラ管理サーバ１１１からの画像データ受信処理を行い（ステップ９０７）、図７（ｅ）で示す画像７０７を含むデータフレームを受信し、図３で示した画像情報ＤＢ１０１に受信データを格納する。
次に、地域情報ＤＢ１０３からホスト端末ＩＤ２０３を取得し、そのＩＤ２０３に合致するホスト端末宛に図６で例示した内容の画面を表示させるためのデータを送信する（ステップ９０８）。
【００２１】
図１０は、監視カメラ管理サーバ１１１で実行される監視カメラ管理処理の概要を示すフローチャートである。
監視カメラ管理サーバ１１１では、ホストシステム１０４からの撮影要求受信処理を行った後（ステップ１００１）、監視カメラＩＤを取得し、当該監視カメラＩＤを持つ監視カメラ１１３ａに対し撮影処理を指示する（ステップ１００２）。撮影後、監視カメラ管理サーバ１１１内にて撮影した画像データは保存されるが、その後のホストシステム１０４からの送信要求受信処理を行い（ステップ１００３）、画像データ送信要求でない場合は、画像データの破棄を行う（ステップ１００６）。しかし、画像データ送信要求であった場合は、ホストシステム１０４へ画像データの送信処理を行う（ステップ１００５）。従って、不要な画像データは監視カメラ管理サーバ１１１にて削除されることとなる。
なお、監視カメラ１１３ａは、監視カメラ管理サーバ１１１から撮影指示を受けた場合、所定時間間隔（例えば２秒間隔）で複数枚の静止画を撮影する運用形態と、所定時間（例えば２０秒）だけの動画を撮影する運用形態のいずれかを、治安の状態に応じて採用することができる。
【００２２】
以上のように、本実施の形態の不審者通知システムによれば、次のような効果がある。
（１）携帯電話機が持つカメラ機能を利用しなくても不審者についての目撃情報の信憑性を裏付ける画像を監視対象地域に設置した監視カメラにより撮影することができるため、目撃情報提供者の安全を確保できる。
（２）また、複数の監視カメラにおいて撮影が可能となり、いろいろな角度から不審者について画像を入手することができる。
（３）監視カメラにより撮影した画像と目撃情報とが情報ＩＤによって関連付けられて画像情報ＤＢおよび通知情報ＤＢに記憶されているため、目撃情報を手がかりとして不審者が映っている画像を短時間で確認し、必要な対策を迅速に実施することができる。
（４）また、過去の目撃情報を画像付で管理することができる。
（５）画像付きで不審者の目撃情報を取得できるため、警察機関等に設置されたホスト端末の監視者は現場に駆けつける判断を容易にすることができる。
【００２３】
なお、上記実施形態においては、ホストシステム１０４と携帯電話機１１３ａ，１１３ｎとを無線回線で接続する例を挙げて説明したが、有線回線で接続されるものであっても同様に適用できることは言うまでもない。
また、本システムで使用する携帯電話機について、ＧＰＳ機能を内蔵していないものについては、基地局１０９の位置情報によって発信元の位置情報を特定することができるので、この位置情報を用いるように構成することができる。
また、ＧＰＳ機能を内蔵した携帯電話機を用いる例を説明したが、ＧＰＳ機能を備えたカーナビゲーション装置、あるいはＧＰＳ機能を備えたＰＤＡなどの各種の携帯端末であっても同様に構成することができる。
また、監視カメラ１１３ａ、１１３ｎについては、監視カメラ管理サーバ１１１から撮影指示があった時点から撮影を開始するようにしているが、常時撮影する形態とし、目撃情報が通知された場合には、その撮影画像に対して目撃情報を関連付けて記憶させた後、警察機関、警備会社等のホスト端末に送信する構成にすることができる。
また、目撃情報によって画像を撮影する監視カメラは、地域ＩＤで特定される１台に限らず、隣接地域を含めた複数台の監視カメラに撮影指示を行うように構成することができる。
また、画像情報ＤＢ１０１と通知情報ＤＢ１０２は別々に構成するのでなく、１つのデータベースに併合することができる。
また、監視対象地域が例えば特定の商店街など、狭い地域であった場合には、監視カメラ管理サーバの機能をホストシステムに併合して構成することができる。
【図面の簡単な説明】
【００２４】
【図１】本発明の一実施の形態例を示すシステム構成図である。
【図２】地域情報データベースのデータ構成図である。
【図３】画像情報データベースのデータ構成図である。
【図４】通知情報データベースのデータ構成図である。
【図５】携帯電話機にて表示される画面の具体例を示す図である。
【図６】ホスト端末にて表示される不審者情報確認画面の具体例を示す図である。
【図７】ホストシステム、携帯電話機、監視カメラ管理サーバ間で送受信されるデータフレームの構成図である。
【図８】携帯電話機での処理概要を示すフローチャートである。
【図９】ホストシステムでの処理概要を示すフローチャートである。
【図１０】監視カメラ管理サーバでの処理概要を示すフローチャートである。
【符号の説明】
【００２５】
１０１…画像情報データベース、１０２…通知情報データベース、１０３…地域情報データベース、１０４…ホストシステム、１１３ａ，１１３ｎ…携帯電話機、１１１…監視カメラ管理サーバ、１１２ａ，１１２ｎ…監視カメラ、１０９…基地局、１０８…ネットワーク、１１０ａ，１１０ｎ…ホスト端末、１０５…ＤＢ更新部、１０６…検索処理部、１０７…送受信部。
【図１】
2007328490.tif 000003
【図２】
2007328490.tif 000004
【図３】
2007328490.tif 000005
【図４】
2007328490.tif 000006
【図５】
2007328490.tif 000007
【図６】
2007328490.tif 000008
【図７】
2007328490.tif 000009
【図８】
2007328490.tif 000010
【図９】
2007328490.tif 000011
【図１０】
2007328490.tif 000012